(57)【要約】【課題】低消費を求められる製品、低消費を求められない製品どちらにも対応可能で、無駄なコスト、スペースをかけない電源装置及びこれを搭載した衛生洗浄装置を提供する。【解決手段】主電源供給部と入力電圧を接続し、通常動作時にはONし、待機動作時にはOFFするスイッチ素子よりも電源入力端子に近い位置から分岐して入力電圧を供給される制御電源供給部を備える基板を接続可能な構成とした主電源供給部と、前記基板を接続した場合は前記制御電源供給部から電源を供給され、前記基板を接続しない場合は前記主電源供給部から電源を供給される制御部と、を備えたことを特徴とする電源装置が提供される。【選択図】  図１
2015070643.tif 000002
【特許請求の範囲】
【請求項１】
主電源供給部と入力電圧を接続し、通常動作時にはＯＮし、待機動作時にはＯＦＦするスイッチ素子よりも電源入力端子に近い位置から分岐して入力電圧を供給される制御電源供給部を備える基板が接続可能とされた主電源供給部と、
前記基板を接続した場合は前記制御電源供給部から電源を供給され、前記基板を接続しない場合は前記主電源供給部から電源を供給される制御部と、
を備えたことを特徴とする電源装置。
【請求項２】
前記制御電源供給部からの出力を読み取る信号線が前記制御部に接続され、
前記制御電源供給部からの出力に応じて動作を切り替えることを特徴とする請求項１記載の電源装置。
【請求項３】
前記主電源供給部からの出力を読み取る信号線と、前記制御電源供給部からの出力を読み取る信号線と、が前記制御部に接続され、
前記主電源供給部からの出力と、前記制御電源供給部からの出力と、に応じて待機時動作または制御電源供給部停止指示を行うことを特徴とする請求項１記載の電源装置。
【請求項４】
噴出口から水を噴射して便座に座った使用者の身体を洗浄する洗浄ノズルと、
前記洗浄ノズルの動作に必要とされる電力を供給する請求項１〜３のいずれか１つに記載の電源装置と、
を備えたことを特徴とする衛生洗浄装置。
【発明の詳細な説明】
【技術分野】
【０００１】
本発明の実施の形態は、電源装置及び衛生洗浄装置に関する。 
【背景技術】
【０００２】
電源装置で無駄に消費される電力を低減する目的で、主電源供給部が、リレーを介して入力電圧の供給を受け、一方、制御電源供給部への電源供給経路は、上述したリレーよりも電源入力端子に近い位置から分岐して、制御電源供給部に入力電圧を供給する電源装置がある（例えば、特許文献１）。
【先行技術文献】
【特許文献】
【０００３】
【特許文献１】特許第３２５８８１２号公報（第１０頁、第５図）
【発明の概要】
【発明が解決しようとする課題】
【０００４】
特許文献１に記載された電源装置では、低消費を求められない製品に搭載する場合、リレーや制御電源部は不要となる部分であり、無駄なコストやスペースが発生するといった課題があった。  
本発明はかかる課題の認識に基づいてなされたものであり、低消費を求められる製品、低消費を求められない製品どちらにも対応可能で、無駄なコスト、スペースをかけない電源装置及びこれを搭載した衛生洗浄装置を提供する。
【課題を解決するための手段】
【０００５】
上記目的を達成するために、請求項１記載の発明によれば、主電源供給部と入力電圧を接続し、通常動作時にはONし待機動作時にはOFFするスイッチ素子よりも電源入力端子に近い位置から分岐して入力電圧を供給される制御電源供給部を備える基板（以後、サブ電源基板と呼ぶ）を接続可能な構成とした主電源供給部と、前記基板を接続した場合は前記制御電源供給部から電源を供給され、前記基板を接続しない場合は前記主電源供給部から電源を供給される制御部と、を備えたことを特徴とする電源装置が提供される。
【０００６】
請求項２記載の発明によれば、請求項１記載の電源装置において、前記制御部に前記制御電源供給部からの出力を読み取る信号線を設け、前記制御電源供給部からの出力に応じて動作を切り替えることを特徴とする電源装置が提供される。
【０００７】
また、請求項３記載の発明によれば、請求項１記載の電源装置において、前記制御部に前記主電源供給部からの出力を読み取る信号線と前記制御電源供給部からの出力を読み取る信号線を設け、前記主電源供給部からの出力と前記制御電源供給部からの出力に応じて待機時動作または制御電源供給部停止指示を行うことを特徴とする電源装置が提供される。
【０００８】
また、請求項４記載の発明によれば、噴出口から水を噴射して便座に座った使用者の身体を洗浄する洗浄ノズルと、前記洗浄ノズルの動作に必要とされる電力を供給する請求項１〜３のいずれか１つに記載の電源装置と、を備えたことを特徴とする衛生洗浄装置が提供される。
【発明の効果】
【０００９】
本発明によれば、低消費を求められる製品、低消費を求められない製品どちらにも対応可能で、無駄なコスト、スペースをかけない電源装置及び衛生洗浄装置を提供することができる。
【図面の簡単な説明】
【００１０】
【図１】第１の実施形態に係る電源装置の構成を例示するブロック図である。
【図２】入力電圧が印加されてからの動作を示すタイミングチャートである。
【図３】第２の実施形態に係る電源装置の構成を例示するブロック図である。
【図４】入力電圧が印加されてからの動作を示すタイミングチャートである。
【図５】第３の実施形態に係る電源装置の構成を例示するブロック図である。
【図６】入力電圧が印加されてからの動作を示すタイミングチャートである。
【図７】スイッチ素子１１がＯＮ故障している場合の、入力電圧が印加されてからの動作を示すタイミングチャートである。
【図８】第４の実施形態に係る電源装置の構成を例示するブロック図である。
【図９】入力電圧が印加されてからの動作を示すタイミングチャートである。
【図１０】スイッチ素子１１がＯＮ故障している場合の、入力電圧が印加されてからの動作を示すタイミングチャートである。
【図１１】本発明の実施の形態にかかる衛生洗浄装置を備えたトイレ装置を表す斜視模式図である。
【発明を実施するための形態】
【００１１】
以下、本発明の実施形態について図面を参照して詳細に説明する。  
図１は、第１の実施形態に係る電源装置の構成を例示するブロック図である。 
図１（ａ）は、サブ電源基板が接続される場合の構成を示す。  
サブ電源基板１０が接続される場合、電源装置１００は、サブ電源基板１０と、主電源供給部２０と、制御部３０と、を備える。サブ電源基板１０は、制御部３０からの制御信号により主電源供給部２０へ入力電圧を接続する。サブ電源基板１０は、電源投入時、待機動作時に制御部３０へ電源を供給する。主電源供給部２０は、通常動作時に制御部３０へ電源を供給する。制御部３０は、サブ電源基板１０の接続有無を判断し、待機動作と通常動作とを切り換える。
【００１２】
サブ電源基板１０は、スイッチ素子１１と、制御電源供給部１２と、を有する。スイッチ素子１１は、主電源供給部２０への入力電圧の接続と非接続とを切り換えるための素子である。スイッチ素子１１は、制御部３０からの信号により接続と非接続とを切り換える。制御電源供給部１２は、例えば、二次電池などの電源を有し、電源投入時や待機動作時には、その電源から制御部３０に電力を供給する。つまり電源投入時には、制御電源供給部１２から供給された電源で制御部３０が動作を開始する。また、待機動作時にも、制御電源供給部１２の電源から供給された電力により、制御部３０が動作する。制御電源供給部１２に設けられる二次電池としては、例えば、キャパシタなどを用いることができる。
【００１３】
主電源供給部２０は、サブ電源基板１０内のスイッチ素子１１を介して入力電圧の供給を受ける。  
制御電源供給部１２への電源供給経路は、スイッチ素子１１よりも電源入力端子に近いノードで分岐して、制御電源供給部１２に入力電圧を供給する。また、制御部３０には、制御電源供給部１２からの出力を読み取る信号線４０が接続されている。
【００１４】
図２は、入力電圧が印加されてからの動作を示すタイミングチャートである。  
上から、入力電圧、制御電源供給部１２出力、制御部３０動作、スイッチ素子１１、主電源供給部２０出力、信号線４０入力の動作を表す。
【００１５】
入力電圧が印加されると、制御電源供給部１２の出力が立ち上がり、制御部３０に電源が供給される。
【００１６】
主電源供給部２０はスイッチ素子１１を介して入力電圧の供給を受けるため、主電源供給部２０には入力電圧が供給されず、したがって主電源供給部２０からは制御部３０に電源が供給されない。 
制御電源供給部１２から電源の供給を受けた制御部３０は動作を開始し、制御電源供給部１２から出力がきていることを信号線４０から読み取り、サブ電源基板１０が接続されているものと判断する。なお、待機時動作中、スイッチ素子１１はＯＦＦのままであり、通常時動作に移行する時にＯＮする。
【００１７】
便器に付設する衛生洗浄装置の場合を例に挙げて説明すると、待機時動作とは、使用者が便器の近傍にいない状態の動作に対応する。待機時動作においては、衛生洗浄装置は、例えば、最小限の電力を用いて赤外線センサなどにより、使用者の接近を検知し続ける。
【００１８】
このようにすれば、待機時において、入力電圧からの消費電力を実質的にゼロにすることも可能となる。
【００１９】
通常時動作とは、例えば、衛生洗浄装置の場合、使用者の接近を赤外線センサなどにより検知したとき、便蓋を開いたり、便座をヒータで暖めたり、あるいは、使用者のスイッチ操作などに基づいて、ノズルから吐水して使用者のおしりを洗浄するような動作に対応する。このような通常時動作のときは、スイッチ素子１１がＯＮになり、入力電圧が主電源供給部２０に印加される。そして、制御部３０は、主電源供給部２０から供給される電力により動作する。  
また、通常時動作の際に、制御電源供給部１２に設けられた二次電池などの電源を充電することもできる。
【００２０】
図１（ｂ）は、サブ電源基板１０が接続されない場合の構成を示す。  
サブ電源基板１０が接続されない場合、電源装置１００は主電源供給部２０と、制御部３０と、を備える。 
主電源供給部２０は、サブ電源基板１０を介することなく、直接、入力電圧の供給を受ける。また、制御部３０には、制御電源供給部１２からの出力を読み取る信号線４０が接続されている。
【００２１】
入力電圧が印加されると、主電源供給部２０から制御部３０に電源が供給される。  
主電源供給部２０から電源の供給を受けた制御部３０は動作を開始し、制御電源供給部１２からの出力がきていないことを信号線４０から読み取り、サブ電源基板１０が接続されていないものと判断する。  
なお、上述した制御電源供給部１２からの出力の代わりに、バックアップ電圧を読み取ってもよい。  
図３は、第２の実施形態に係る電源装置の構成を例示するブロック図である。  
図３（ａ）は、サブ電源基板が接続される場合の構成を示す。
【００２２】
サブ電源基板１０が接続される場合、電源装置１００は、サブ電源基板１０と、主電源供給部２０と、制御部３０と、を備える。サブ電源基板１０は、制御部３０からの制御信号により主電源供給部２０へ入力電圧を接続する。また、サブ電源基板１０は、電源投入時、待機動作時に制御部３０へ電源を供給する。主電源供給部２０は、通常動作時に制御部３０へ電源を供給する。制御部３０は、サブ電源基板１０の接続有無を判断し、待機動作と通常動作とを切り換える。
【００２３】
サブ電源基板１０は、スイッチ素子１１と、制御電源供給部１２と、バックアップ回路１３と、定電圧回路１４と、を有する。スイッチ素子１１は、主電源供給部２０への入力電圧接続と非接続とを切り換えるための素子である。スイッチ素子１１は制御部３０からの信号により接続と非接続とを切り換える。制御電源供給部１２は、電源投入時、待機動作時にバックアップ回路１３に電源を供給する。バックアップ回路１３は、制御電源供給部１２から供給された電源により充電される。待機動作時には、バックアップ回路１３に蓄えられた電力が使われ、必要に応じて制御電源供給部１２から充電される。バックアップ回路１３の電圧は、充放電を繰り返して変動しているため、定電圧回路１４で一定の電圧にして制御部３０に供給する。電源投入時には、制御電源供給部１２、バックアップ回路１３、定電圧回路１４を経由して供給された電源で制御部３０が動作を開始する。
【００２４】
主電源供給部２０は、サブ電源基板１０内のスイッチ素子１１を介して入力電圧の供給を受ける。  
制御電源供給部１２への電源供給経路は、スイッチ素子１１よりも電源入力端子に近いノードで分岐して、制御電源供給部１２に入力電圧を供給し、バックアップ回路１３、定電圧回路１４を介して制御部３０へと接続されている。また、制御部３０は、バックアップ電圧を読み取る信号線５０を設けている。
【００２５】
図４は、入力電圧が印加されてからの動作を示すタイミングチャートである。  
上から、入力電圧、制御電源供給部１２出力、バックアップ回路１３出力、定電圧回路１４出力、制御部３０動作、スイッチ素子１１、主電源供給部２０出力、信号線５０入力の動作を表す。
【００２６】
入力電圧が印加されると、制御電源供給部１２が立ち上がり、バックアップ回路１３、定電圧回路１４を介して制御部３０に電源が供給される。 
主電源供給部２０は、スイッチ素子１１を介して入力電圧の供給を受けるため、主電源供給部２０には入力電圧が供給されない。したがって主電源供給部２０からは制御部３０に電源が供給されない。 
制御電源供給部１２からバックアップ回路１３、定電圧回路１４を介して電源の供給を受けた制御部３０は、動作を開始する。制御部３０は、バックアップ回路１３からの出力を信号線５０の入力から読み取り、サブ電源基板１０が接続されているものと判断する。なお、待機時動作中、スイッチ素子１１はＯＦＦのままであり、通常時動作に移行する時にＯＮする。
【００２７】
図３（ｂ）は、サブ電源基板１０が接続されない場合の構成を示す。  
サブ電源基板１０が接続されない場合、電源装置１００は、主電源供給部２０、制御部３０を備える。  
主電源供給部２０は、直接入力電圧の供給を受ける。また、制御部３０には、バックアップ回路１３の出力を読み取る信号線５０が接続されている。
【００２８】
入力電圧が印加されると、主電源供給部２０から制御部３０に電源が供給される。  
主電源供給部２０から電源の供給を受けた制御部３０は動作を開始し、バックアップ回路１３の出力がきていないことを信号線５０から読み取り、サブ電源基板１０が接続されていないものと判断する。
【００２９】
図５は、第３の実施形態に係る電源装置の構成を例示するブロック図である。  
図５（ａ）は、サブ電源基板が接続される場合の構成を示す。サブ電源基板１０が接続される場合、電源装置１００は、サブ電源基板１０と、主電源供給部２０と、制御部３０と、を備える。 サブ電源基板１０は、制御部３０からの制御信号により主電源供給部２０へ入力電圧を接続する。また、サブ電源基板１０は、電源投入時、待機動作時に制御部３０へ電源を供給する。主電源供給部２０は、通常動作時に制御部３０へ電源を供給する。制御部３０は、サブ電源基板１０の接続有無を判断し、待機動作と通常動作を切り換える。
【００３０】
サブ電源基板１０は、スイッチ素子１１と、制御電源供給部１２と、を有する。 スイッチ素子１１は、主電源供給部２０への入力電圧接続・非接続を切り換えるための素子である。スイッチ素子１１は、制御部３０からの信号により接続・非接続を切り換える。制御電源供給部１２は、電源投入時、待機動作時に制御部３０に電源を供給する。電源投入時には、制御電源供給部１２から供給された電源で制御部３０が動作を開始する。
【００３１】
主電源供給部２０は、サブ電源基板１０内のスイッチ素子１１を介して入力電圧の供給を受ける。  
制御電源供給部１２への電源供給経路は、スイッチ素子１１よりも電源入力端子に近いノードで分岐して、制御電源供給部１２に入力電圧を供給する。また、制御部３０は制御電源供給部１２からの出力を読み取る信号線４０と、主電源供給部からの出力を読み取る信号線６０と、制御電源供給部１２に停止指示を送る信号線７０と、が設けられている。
【００３２】
図６は、入力電圧が印加されてからの動作を示すタイミングチャートである。  
上から、入力電圧、制御電源供給部１２出力、制御部３０動作、スイッチ素子１１、主電源供給部２０出力、信号線４０入力、信号線６０入力の動作を表す。
【００３３】
入力電圧が印加されると、制御電源供給部１２から制御部３０に電源が供給される。 
主電源供給部２０は、スイッチ素子１１を介して入力電圧の供給を受けるため、主電源供給部２０には入力電圧が供給されない。したがって、主電源供給部２０からは、制御部３０に電源が供給されない。また、主電源供給部２０からの出力もない。
【００３４】
制御電源供給部１２から電源の供給を受けた制御部３０は、動作を開始する。制御部３０は、制御電源供給部１２からの出力がきていることを信号線４０から、主電源供給部２０からの出力がきていないことを信号線６０から、それぞれ読み取り、サブ電源基板１０が接続されているものと判断する。なお、待機時動作中、スイッチ素子１１はＯＦＦのままであり、通常時動作に移行する時にＯＮする。
【００３５】
ここで、スイッチ素子１１がＯＮ故障している場合を考える。    
図７は、スイッチ素子１１がＯＮ故障している場合の、入力電圧が印加されてからの動作を示すタイミングチャートである。  
上から、入力電圧、制御電源供給部１２出力、制御部３０動作、スイッチ素子１１、主電源供給部２０出力、信号線４０入力、信号線６０入力、信号線７０出力の動作を表す。スイッチ素子１１がＯＮ故障している場合、入力電圧が印加されると、主電源供給部２０からも制御部３０に電源が供給される。したがって、主電源供給部２０からの出力がある。
【００３６】
電源の供給を受けた制御部３０は動作を開始し、制御電源供給部１２から出力がきていることを信号線４０から、主電源供給部２０からも出力がきていることを信号線６０から、それぞれ読み取り、スイッチ素子１１がＯＮ故障しているものと判断する。
【００３７】
スイッチ素子１１がＯＮ故障していると、待機時動作をしようとしても、できない。そこで、スイッチ素子１１のＯＮ故障時には、制御電源供給部１２に停止指示を送る信号線７０から、制御電源供給部１２に停止指示をすることで、無駄な消費を低減させることができる。また、スイッチ素子１１のＯＮ故障を使用者に知らせることもできる。
【００３８】
図５（ｂ）は、サブ電源基板１０が接続されない場合の構成を示す。  
サブ電源基板１０が接続されない場合、電源装置１００は、主電源供給部２０、制御部３０を備える。
【００３９】
主電源供給部２０は、直接入力電圧の供給を受ける。また、制御部３０は、制御電源供給部１２からの出力を読み取る信号線４０を設けている。  
入力電圧が印加されると、主電源供給部２０から制御部３０に電源が供給される。  
主電源供給部２０から電源の供給を受けた制御部３０は動作を開始し、制御電源供給部１２から出力がきていないことを信号線４０から、主電源供給部２０から出力がきていることを信号線６０から、それぞれ読み取り、サブ電源基板１０が接続されていないものと判断する。  
なお、上述した制御電源供給部１２からの出力の代わりに、バックアップ電圧を読み取ってもよい。
【００４０】
図８は、第４の実施形態に係る電源装置の構成を例示するブロック図である。  
図８（ａ）は、サブ電源基板が接続される場合の構成を示す。
【００４１】
サブ電源基板１０が接続される場合、電源装置１００はサブ電源基板１０と、主電源供給部２０と、制御部３０と、を備える。サブ電源基板１０は、制御部３０からの制御信号により主電源供給部２０へ入力電圧を接続する。また、サブ電源基板１０は、電源投入時、待機動作時に制御部３０へ電源を供給する。主電源供給部２０は、通常動作時に制御部３０へ電源を供給する。制御部３０は、サブ電源基板１０の接続有無を判断し、待機動作と通常動作を切り換える。
【００４２】
サブ電源基板１０は、スイッチ素子１１と、制御電源供給部１２と、バックアップ回路１３と、定電圧回路１４と、を有する。スイッチ素子１１は、主電源供給部２０への入力電圧の接続と非接続とを切り換えるための素子である。スイッチ素子１１は制御部３０からの信号により接続と非接続とを切り換える。制御電源供給部１２は、電源投入時、待機動作時にバックアップ回路１３に電源を供給する。バックアップ回路１３は、制御電源供給部１２から供給された電源により充電される。待機動作時には、バックアップ回路１３に蓄えられた電力が使われ、必要に応じて制御電源供給部１２から充電される。バックアップ回路１３の電圧は充放電を繰り返して変動しているため、定電圧回路１４で一定の電圧にして制御部３０に供給する。電源投入時には制御電源供給部１２、バックアップ回路１３、定電圧回路１４を経由して供給された電源で制御部３０が動作を開始する。
【００４３】
主電源供給部２０は、サブ電源基板１０内のスイッチ素子１１を介して入力電圧の供給を受ける。 
制御電源供給部１２への電源供給経路は、スイッチ素子１１よりも電源入力端子に近いノードで分岐して、制御電源供給部１２に入力電圧を供給し、バックアップ回路１３、定電圧回路１４を介して制御部３０へと接続されている。また、制御部３０には、バックアップ電圧を読み取る信号線５０と、主電源供給部からの出力を読み取る信号線６０と、制御電源供給部１２に停止指示を送る信号線７０と、が接続されている。
【００４４】
図９は、入力電圧が印加されてからの動作を示すタイミングチャートである。上から、入力電圧、制御電源供給部１２出力、バックアップ回路１３出力、定電圧回路１４出力、制御部３０動作、スイッチ素子１１、主電源供給部２０出力、信号線５０入力、信号線６０入力の動作を表す。
【００４５】
入力電圧が印加されると、制御電源供給部１２が立ち上がり、バックアップ回路１３、定電圧回路１４を介して制御部３０に電源が供給される。 
主電源供給部２０は、スイッチ素子１１を介して入力電圧の供給を受けるため、主電源供給部２０には入力電圧が供給されない。したがって、主電源供給部２０からは制御部３０に電源が供給されない。また、主電源供給部２０からの出力もない。
【００４６】
制御電源供給部１２からバックアップ回路１３、定電圧回路１４を介して電源の供給を受けた制御部３０は動作を開始する。バックアップ回路１３の出力がきていることを信号線５０から、主電源供給部２０からの出力がきていないことを信号線６０から、それぞれ読み取り、サブ電源基板１０が接続されているものと判断する。なお、待機時動作中、スイッチ素子１１はＯＦＦのままであり、通常時動作に移行する時にＯＮする。
【００４７】
ここで、スイッチ素子１１がＯＮ故障している場合を考える。
【００４８】
図１０は、スイッチ素子１１がＯＮ故障している場合の、入力電圧が印加されてからの動作を示すタイミングチャートである。  
上から、入力電圧、制御電源供給部１２出力、バックアップ回路１３出力、定電圧回路１４出力、制御部３０動作、スイッチ素子１１、主電源供給部２０出力、信号線５０入力、信号線６０入力、信号線７０出力の動作を表す。スイッチ素子１１がＯＮ故障している場合、入力電圧が印加されると、主電源供給部２０からも制御部３０に電源が供給される。したがって、主電源供給部２０からの出力がある。
【００４９】
電源の供給を受けた制御部３０は動作を開始し、バックアップ回路１３出力がきていることを信号線５０から、主電源供給部２０からも出力がきていることを信号線６０から、それぞれ読み取り、スイッチ素子１１がＯＮ故障しているものと判断する。
【００５０】
スイッチ素子１１がＯＮ故障していると、待機時動作をしようとしても、できない。そこで、スイッチ素子１１のＯＮ故障時には、制御電源供給部１２に停止指示を送る信号線７０から、制御電源供給部１２に停止指示をすることで、無駄な消費を低減させることができる。また、スイッチ素子１１のＯＮ故障を使用者に知らせることもできる。
【００５１】
図８（ｂ）は、サブ電源基板１０が接続されない場合の構成を示す。  
サブ電源基板１０が接続されない場合、電源装置１００は主電源供給部２０、制御部３０を備える。  
主電源供給部２０は直接入力電圧の供給を受ける。また、制御部３０はバックアップ回路１３出力を読み取る信号線５０と、主電源供給部からの出力を読み取る信号線６０と、を設けている。
【００５２】
入力電圧が印加されると、主電源供給部２０から制御部３０に電源が供給される。 
主電源供給部２０から電源の供給を受けた制御部３０は動作を開始する。バックアップ出力がきていないことを信号線５０から、主電源供給部２０から出力がきていることを信号線６０から、それぞれ読み取り、サブ電源基板１０が接続されていないものと判断する。
図１１は、本発明の実施の形態にかかる衛生洗浄装置を備えたトイレ装置を表す斜視模式図である。
【００５３】
図１１に表したトイレ装置は、洋式腰掛便器（以下説明の便宜上、単に「便器」と称する）８００と、その上に設けられた衛生洗浄装置５００と、を備える。衛生洗浄装置５００は、ケーシング４００と、便座２００と、便蓋３００と、を有する。便座２００と便蓋３００とは、ケーシング４００に対して開閉自在にそれぞれ軸支されている。なお、衛生洗浄装置５００は、便器８００とは別に単独で市場に流通することもあり、あるいは便器８００に搭載された状態で市場に流通することもある。
【００５４】
ケーシング４００の内部には、図１〜図１０に関して前述した本実施形態の電源装置１００が収容されている。また、ケーシング４００の内部には、便座２００に座った使用者の「おしり」などの洗浄を実現する身体洗浄機能部などが内蔵されている。また、例えばケーシング４００には、使用者が接近したことを検知したり、便座２００に座ったことを検知するセンサ４０４が設けられている。
【００５５】
センサ４０４が便座２００に座った使用者を検知している場合において、使用者が例えばリモコンなどの図示しない操作部を操作すると、洗浄ノズル４７３を便器８００のボウル８０１内に進出させることができる。なお、図１１に表した衛生洗浄装置５００では、洗浄ノズル４７３がボウル８０１内に進出した状態を表している。
【００５６】
洗浄ノズル４７３の先端部には、ひとつあるいは複数の噴出口４７４が設けられている。そして、洗浄ノズル４７３は、その先端部に設けられた噴出口４７４から水を噴射して、便座２００に座った使用者の「おしり」などを洗浄することができる。
【００５７】
本実施形態の衛生洗浄装置５００が内蔵する電源装置１００には、サブ電源基板１０を接続することができる。サブ電源基板１０を接続した場合、図１（ａ）などを参照しつつ前述したように、待機動作は制御電源供給部１２からの電力に基づいて実行し、通常動作は、スイッチ素子１１を介して入力電圧からの電力に基づいて実行することが可能となる。
【００５８】
待機時動作とは、使用者が衛生洗浄装置５００の近傍にいない状態の動作に対応する。待機時動作においては、衛生洗浄装置は、例えば、最小限の電力を用いてセンサ４０４により、使用者の接近を検知し続ける。  
このようにすれば、待機時において、入力電圧（例えば、商用交流１００ボルト電源）からの消費電力を実質的にゼロにすることも可能となる。
【００５９】
通常時動作とは、例えば、使用者の接近をセンサ４０４により検知したとき、便蓋３００を開いたり、便座２００をヒータで暖めたり、あるいは、使用者のスイッチ操作などに基づいて、洗浄ノズル４７３から吐水して使用者のおしりを洗浄するような動作に対応する。このような通常時動作のときは、スイッチ素子１１がＯＮになり、入力電圧が主電源供給部２０に印加される（図１（ａ）参照）。そして、制御部３０は、主電源供給部２０から供給される電力により動作する。  
一方、衛生洗浄装置５００の電源装置１００に、サブ電源基板１０を接続しないで用いることもできる。この場合には、省電力機能を省略し、その代わりにコストで衛生洗浄装置５００を提供できる。
【００６０】
また、サブ電源基板１０の接続・非接続により、省電力機能の可否を実現できるので、電源装置１００のプラットフォーム化が実現され、コストを下げることができるという効果も得られる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１０  サブ電源基板、１１  スイッチ素子、１２  制御電源供給部、１３  バックアップ回路、１４  定電圧回路、２０  主電源供給部、３０  制御部、４０  制御電源からの出力を読み取る信号線、５０  バックアップ電圧を読み取る信号線、６０  主電源供給部からの出力を読み取る信号線、７０  制御電源供給部に停止指示を送る信号線、１００  電源装置、２００  便座、３００  便蓋、４００  ケーシング、４０４  センサ、４７３  洗浄ノズル、４７４  噴出口、１００  衛生洗浄装置、８００  洋式腰掛便器、８０１  ボウル
【図１】
2015070643.tif 000003
【図２】
2015070643.tif 000004
【図３】
2015070643.tif 000005
【図４】
2015070643.tif 000006
【図５】
2015070643.tif 000007
【図６】
2015070643.tif 000008
【図７】
2015070643.tif 000009
【図８】
2015070643.tif 000010
【図９】
2015070643.tif 000011
【図１０】
2015070643.tif 000012
【図１１】
2015070643.tif 000013